(57)【特許請求の範囲】
【請求項１】
開口を有するハウジングと、先端側を当該開口に向けてハウジング内に列設され且つ上記ハウジングの上面部側に位置するアーム部及び下面部側に位置するガイド部を有した複数の接触端子と、扁平導体を挿入するための受入口部及び上記接触端子のアーム部とガイド部との間に回動自在に遊嵌されたカム部を有する操作部材と、
を具備する扁平導体用コネクタであって、
上記各接触端子のガイド部は、上記ハウジングの奥に向かってせり上がる傾斜部を有し、
上記各接触端子のアーム部は、上記傾斜部の頂部よりもハウジングの開口側に偏位して上記扁平導体側を向く扁平導体接触用突部を有し、
上記操作部材のカム部は、上記受入口部に挿入された扁平導体を支持する上面部と、操作部材の開時に上記ガイド部の傾斜部に当接する前面部と、当該前面部下位に設けられ且つ操作部材の閉時に上記傾斜部の頂部に乗り上がる角部とを有する、
ことを特徴とする扁平導体用コネクタ。
【請求項２】
請求項１に記載の扁平導体用コネクタにおいて、
上記各接触端子のガイド部は、上記ハウジングの開口近傍に立設され、上記操作部材の閉操作時に、カム部の後面部に接触しながら当該カム部をハウジングの奥側に押し込むガイド突起を有する、
ことを特徴とする扁平導体用コネクタ。
【請求項３】
請求項１または請求項２に記載の扁平導体用コネクタにおいて、
上記操作部材の両側部に軸部を突設すると共に上記ハウジングの両側部に軸受部を設け、当該軸受部に上記操作部材の軸部を回動自在に遊嵌した、
ことを特徴とする扁平導体用コネクタ。
【発明の詳細な説明】
【０００１】
【発明の属する技術分野】
この発明は、フレクシブルフラットケーブル（ＦＦＣ）やフレクシブルプリント基板（ＦＰＣ）等の扁平導体をプリント基板に接続するための扁平導体用コネクタに関するものである。
【０００２】
【従来の技術】
従来、この種の扁平導体用コネクタとしては、例えば特開２００１−２５７０２０号公報に開示された技術がある。
この技術は、図１０に示すように、ハウジング１００内に列設された接触端子１０１に扁平導体２００を直接挿入し、ハウジング１００に回動自在に取り付けられた操作部材１０２を下方に閉じることで、扁平導体２００を接触端子１０１の突起部１０１ａに押しつける構造になっている。
また、扁平導体用コネクタの他の例として、特開２００２−６３９５９号公報や米国特許４，７１８，８５９号公報に開示された技術がある。
この技術は、図１１に示すように、操作部材１０２に扁平導体２００用の挿入口１０２ａを設け、扁平導体２００をこの挿入口１０２ａに予め挿入した後、操作部材１０２を下方に閉じることで、扁平導体２００を接触端子１０１の突起部１０１ａに押し付ける構造となっている。
【０００３】
【発明が解決しようとする課題】
しかし、上記した従来の扁平導体用コネクタでは、次のような問題がある。
図１０に示した扁平導体用コネクタでは、扁平導体２００を接触端子１０１に直接挿入した後、操作部材１０２を閉じる構造であるので、扁平導体２００と接触端子１０１との位置ズレが生じ易く、接触不良が生じ易い。
また、接触端子１０１の突起部１０１ａが扁平導体２００を介して操作部材１０２を上方に押し、操作部材１０２を開けようとする。このため、操作部材１０２の閉状態を維持するために、ハウジング１００と操作部材１０２との両端部にロック機構１１０を設けている。しかし、ロック機構１１０が操作部材１０２の両端部のみを係止する機構であるので、図１２に示すように、操作部材１０２の中央部分が接触端子１０１の押上力によって上方に撓み、扁平導体２００と接触端子１０１との接触不良が生じ易い。
【０００４】
一方、図１１に示した扁平導体用コネクタでは、扁平導体２００を操作部材１０２の挿入口１０２ａに予め挿入した状態で、操作部材１０２を閉じる構造であるので、扁平導体２００と接触端子１０１との位置ズレによる接触不良のおそれは少ない。
しかし、この扁平導体用コネクタも、操作部材１０２の閉状態を維持するためのロック機構が操作部材１０２の両端部のみを係止する機構であるので、上記図１０に示した扁平導体用コネクタと同様に操作部材１０２の中央部分が上に撓んで接触不良を生じ易いという問題点を有している。
【０００５】
この発明は上述した課題を解決するためになされたもので、操作部材全体を均等にロックして、扁平導体と複数の接触端子との接触を確実に維持することができる扁平導体用コネクタを提供することを目的とするものである。
【０００６】
【課題を解決するための手段】
上記課題を解決するために、請求項１の発明は、開口を有するハウジングと、先端側を当該開口に向けてハウジング内に列設され且つハウジングの上面部側に位置するアーム部及び下面部側に位置するガイド部を有した複数の接触端子と、扁平導体を挿入するための受入口部及び接触端子のアーム部とガイド部との間に回動自在に遊嵌されたカム部を有する操作部材と、を具備する扁平導体用コネクタであって、各接触端子のガイド部は、ハウジングの奥に向かってせり上がる傾斜部を有し、各接触端子のアーム部は、傾斜部の頂部よりもハウジングの開口側に偏位して扁平導体側を向く扁平導体接触用突部を有し、操作部材のカム部は、受入口部に挿入された扁平導体を支持する上面部と、操作部材の開時にガイド部の傾斜部に当接する前面部と、当該前面部下位に設けられ且つ操作部材の閉時に傾斜部の頂部に乗り上がる角部とを有する構成とした。
かかる構成により、カム部の前面部が各接触端子のガイド部の傾斜部に当接している操作部材の開時において、扁平導体を受入口部から挿入すると、扁平導体がカム部の上面部で支持される。この状態で、操作部材を閉じながらハウジングの奥側に押圧していくと、カム部がガイド部上を登る。そして、操作部材の閉時には、カム部の角部が傾斜部の頂部に乗り上がる。この結果、カム部の上面に支持された扁平導体が接触端子のアーム部の扁平導体接触用突部に圧接されて下方力を受けると共に、カム部がガイド部の頂部から上方力を受ける。このとき、各接触端子のアーム部の扁平導体接触用突部が、傾斜部の頂部よりもハウジングの開口側に偏位して設定されているので、操作部材全体は閉じる方向に力を受ける。
【０００７】
特に、請求項２の発明は、請求項１に記載の扁平導体用コネクタにおいて、各接触端子のガイド部は、ハウジングの開口近傍に立設され、操作部材の閉操作時に、カム部の後面部に接触しながら当該カム部をハウジングの奥側に押し込むガイド突起を有する構成とした。
かかる構成により、操作部材の閉操作時には、カム部の後面部が各接触端子のガイド部のガイド突起に接触し、当該カム部がハウジングの奥側に押し込まれる。
【０００８】
また、請求項３の発明は、請求項１または請求項２に記載の扁平導体用コネクタにおいて、操作部材の両側部に軸部を突設すると共にハウジングの両側部に軸受部を設け、当該軸受部に操作部材の軸部を回動自在に遊嵌した構成としてある。
【０００９】
【発明の実施の形態】
以下、この発明の実施の形態について図面を参照して説明する。
図１は、この発明の一実施形態に係る扁平導体用コネクタを示す斜視図であり、図２は、操作部材の閉時の状態を示す斜視図であり、図３は、扁平導体用コネクタの底面側を示す斜視図である。
図１〜図３に示すように、この扁平導体用コネクタは、ハウジング１と複数の接触端子２と操作部材３とを具備している。
【００１０】
ハウジング１は、上面部１ａと下面部１ｂと両側の側面部１ｃとで構成され、その前面には、開口１０が形成されている。そして、ハウジング１の両側端部には、軸受部１１が設けられている。
図４及び図５は、図２の矢視Ａ−Ａ断面図である。
これらの図に示すように、ハウジング１の側面部の切欠き１１ａに固定金具１１ｂを圧着することで、軸受部１１を画成している。
【００１１】
接触端子２は、図１〜図３に示すように、先端部側をハウジング１側に向けてハウジング１内に等間隔で複数列設されている。
図６は、図２の矢視Ｂ−Ｂ断面図である。
図６に示すように、各接触端子２は、ハウジング１の下面部１ｂ側に位置するガイド部２０と上面部１ａ側に位置するアーム部２１とを有している。
【００１２】
ガイド部２０は、ハウジング１の開口１０近傍に突設されたガイド突起２２と、このガイド突起２２の奥側に形成された傾斜部２３とを有している。傾斜部２３は、ハウジング１の奥側に向かってせり上がり、接触端子２全体の略中央位置に頂部２４を有している。
【００１３】
一方、アーム部２１は、ガイド部２０と一体に形成され、上面部１ａに沿って開口１０側に延出している。
このアーム部２１の先端下側には、扁平導体接触用突部２５が突設されている。この扁平導体接触用突部２５の突設位置は、傾斜部２３の頂部２４の位置よりも距離ｔだけ開口１０側に偏位している。
【００１４】
操作部材３は、上記接触端子２の間に回動自在に嵌められた部材であり、その両端部には、軸部３０が突設されている。
具体的には、図４に示すように、軸部３０が操作部材３の先端部側に設けられ、ハウジング１の軸受部１１内に回動自在に遊嵌されている。なお、軸受部１１の固定金具１１ｂと切欠き１１ａとの間隙１１ｃは、軸部３０の直径よりも狭く設定され、軸部３０が軸受部１１から抜けないようになっている。
このようにして、ハウジング１に回動自在に取り付けられた操作部材３は、図６に示すように、扁平導体２００を挿入するための受入口部３１と、接触端子２のガイド部２０とアーム部２１との間に回動自在に遊嵌されたカム部３２とを有している。
【００１５】
カム部３２は、平面状の上面部３３及び前面部３４と、角部３５と、若干湾曲した後面部３６とを有している。
上面部３３は、操作部材３の受入口部３１から挿入された扁平導体２００を指示する部分であり、前面部３４は、カム部３２の後方に傾斜し、操作部材３の開時に接触端子２の傾斜部２３が当接するように設定されている。また、角部３５は、前面部３４の下位に設けられた鈍角部分である。後面部３６は、緩やかな曲面をなすが、その上端と前面部３４の上端との距離Ｄがガイド突起２２と頂部２４との距離ｄよりも大きく設定され、後面部３６がガイド突起２２に必ず接触するようになっている。
【００１６】
次に、この扁平導体用コネクタが示す作用について説明する。
まず、図６に示すように、操作部材３を上方に回動させて開き、カム部３２の前面部３４を接触端子２のガイド部２０の傾斜部２３に当接させると、後面部３６がガイド突起２２に当たって、操作部材３が開状態を保持する。
そして、扁平導体２００を操作部材３の受入口部３１に挿入すると、扁平導体２００がカム部３２の上面部３３に載置される。
【００１７】
次に、上記状態から、図７に示すように、操作部材３を下方に回動させて閉じていくと、ガイド部２０のガイド突起２２がカム部３２の後面部３６を接触端子２の奥側に押す状態になる。すなわち、操作部材３のかかる閉操作時においては、ガイド突起２２がカム部３２を接触端子２の奥側に押し込み、カム部３２の角部３５がガイド部２０の傾斜部２３に接触しながら、頂部２４側に登っていく。これと並行して、カム部３２の上面部３３に支持された扁平導体２００が接触端子２のアーム部２１を押し上げていく。
【００１８】
最後に、図８に示すように、カム部３２の角部３５が頂部２４に乗り上がると、操作部材３が完全に閉じた状態になると共に操作部材３が接触端子２の水平段部２６に当接する。
かかる閉時においては、扁平導体２００がアーム部２１の扁平導体接触用突部２５から下方力Ｆ１を受け、カム部３２がガイド部２０の頂部２４から角部３５を介して上方力Ｆ２を受けた状態になる。
このとき、扁平導体２００と扁平導体接触用突部２５との接触位置が頂部２４と角部３５との接触位置よりもハウジング１の開口１０側に偏位しているので、下方力Ｆ１と上方力Ｆ２とが共同して操作部材３を閉じる方向に回動させようする。同時に、接触端子２の水平段部２６がストッパとして機能して、操作部材３を略水平に支持する。この結果、操作部材３は各接触端子２によって完全にロックされた状態になる。
【００１９】
ところで、接触端子２は、図１に示すように、ハウジング１内に等間隔で複数列設されているので、図９に示すように、操作部材３全体が複数の接触端子２によって均等にロックされる。したがって、上述した従来の扁平導体用コネクタのように、操作部材３の中央部分が上方に撓んで接触不良を起こす事態は生じない。
【００２０】
このように、この実施形態の扁平導体用コネクタによれば、操作部材３の閉時に、複数の接触端子２が操作部材３全体を均等にロックするので、扁平導体２００と接触端子２のアーム部２１との電気的接触が確実に維持されるという効果がある。
【００２１】
【発明の効果】
以上詳しく説明したように、この発明によれば、操作部材の閉時に、複数の接触端子が操作部材全体を閉じる方向に作用するので、特別なロック機構を設けることなく、操作部材全体を均等にロックすることができ、この結果、扁平導体と複数の接触端子との接触を確実に維持することができるという優れた効果がある。
特に、接触端子のガイド部にガイド突起を設け、操作部材の閉操作時に、このガイド突起がカム部の後面部に接触しながら当該カム部をハウジングの奥側に押し込む構成とすることで、操作部材の操作を容易且つ正確に行うことができる。
【図面の簡単な説明】
【図１】図１は、この発明の一実施形態に係る扁平導体用コネクタを示す斜視図である。
【図２】操作部材の開時の状態を示す斜視図であり、
【図３】扁平導体用コネクタの底面側を示す斜視図である。
【図４】図２の矢視Ａ−Ａ断面図であり、操作部材の開時における軸部と軸受部との嵌合状態を示す。
【図５】操作部材の閉時における軸部と軸受部との嵌合状態を示す断面図である。
【図６】図２の矢視Ｂ−Ｂ断面図であり、操作部材の開時におけるガイド部と接触端子との嵌合状態を示す。
【図７】操作部材の閉操作時におけるガイド部と接触端子との嵌合状態を示す断面図である。
【図８】操作部材の閉時におけるガイド部と接触端子との嵌合状態を示す断面図である。
【図９】操作部材全体が複数の接触端子によって均等にロックされた状態を示す概略図である。
【図１０】従来の扁平導体用コネクタの第１の例を示す断面図である。
【図１１】従来の扁平導体用コネクタの第２の例を示す断面図である。
【図１２】操作部材の撓み現象を説明するための概略図である。
【符号の説明】
１…ハウジング、  １ａ…上面部、  １ｂ…下面部、  ２…接触端子、  ３…操作部材、  １０…開口、  １１…軸受部、  ２０…ガイド部、  ２１…アーム部、  ２２…ガイド突起、  ２３…傾斜部、  ２４…頂部、  ２５…扁平導体接触用突部、  ３０…軸部、  ３１…受入口部、  ３２…カム部、  ３３…上面部、  ３４…前面部、  ３５…角部、  ３６…後面部、  ２００…扁平導体、  ｔ…偏位距離距離。
【図１】
0003932330.tif 000002
【図２】
0003932330.tif 000003
【図３】
0003932330.tif 000004
【図４】
0003932330.tif 000005
【図５】
0003932330.tif 000006
【図６】
0003932330.tif 000007
【図７】
0003932330.tif 000008
【図８】
0003932330.tif 000009
【図９】
0003932330.tif 000010
【図１０】
0003932330.tif 000011
【図１１】
0003932330.tif 000012
【図１２】
0003932330.tif 000013